(57)【要約】【課題】簡易な構造で安全性を確保するとともに、異常復旧が容易なエレベータ乗かごの移動防止装置の提供。【解決手段】建屋に形成される昇降路１内を昇降する乗かご２にあって、この乗かご２に設けられるかごドア４の開扉時に、エレベータ異常により乗かご２が移動することを防止するエレベータ乗かごの移動防止装置において、乗かご２に設けられ、かごドア４の開扉に応じて乗かご２の水平投影面積から外に突出するストッパ５と、昇降路側に設けられ、ストッパ５と係合可能なストッパ受け部８とを備え、かごドア４が開扉状態で乗かご２が上昇または下降すると、ストッパ５がストッパ受け部８に係合し、乗かご２のさらなる上昇または下降を防止するものである。【選択図】図１
2009029541.tif 000002
【特許請求の範囲】
【請求項１】
建屋に形成される昇降路内を昇降する乗かごにあって、この乗かごに設けられるかごドアの開扉時に、エレベータ異常により前記乗かごが移動することを防止するエレベータ乗かごの移動防止装置において、
前記乗かごに設けられ、前記かごドアの開扉に応じて前記乗かごの水平投影面積から外に突出するストッパと、前記昇降路に設けられ、前記ストッパと係合可能なストッパ受け部とを備え、前記かごドアが開扉状態で前記乗かごが上昇または下降すると、前記ストッパが前記ストッパ受け部に係合し、前記乗かごのさらなる上昇または下降を防止することを特徴としたエレベータ乗かごの移動防止装置。
【請求項２】
前記ストッパが前記ストッパ受け部に係合したことを検出する検出手段を設けたことを特徴とする請求項１記載のエレベータ乗かごの移動防止装置。
【発明の詳細な説明】
【技術分野】
【０００１】
本発明は、かごドアの開扉時に、エレベータ異常により乗かごが移動することを防止するエレベータ乗かごの移動防止装置に関する。
【背景技術】
【０００２】
一般に、エレベータにあっては、乗かごに設けられるかごドアが開いた状態にあるとき、制御装置により巻上機にブレーキがかかり、乗かごが移動しないように多重の安全装置が働くようになっている。
【０００３】
また、従来、かごドアが開扉状態にあるときに乗かごが何らかの理由により移動した場合、この乗かごの移動距離を検出し、乗かごが一定距離移動したときにガバナ装置に配置されたソレノイドを駆動し、機械式ラッチ装置をトリップさせてガバナロープを把持し、乗かごの移動を強制的に阻止するようにしたものが提案されている（例えば、特許文献１参照）。
【特許文献１】特開平５−９７３４１５号公報
【発明の開示】
【発明が解決しようとする課題】
【０００４】
しかしながら、従来の技術のものは、かごドアが開扉状態にある乗かごの移動を阻止するためにガバナ装置を作動させるものであり、一旦、ガバナ装置を作動させると、エレベータの復旧に手間を要し、軽微な異常等により乗かごが移動してしまった場合であっても復旧までに多大の時間を要するという問題があった。
【０００５】
本発明は、前述した従来技術における実状からなされたもので、その目的は、簡易な構造で安全性を確保するとともに、異常復旧が容易なエレベータ乗かごの移動防止装置を提供することにある。
【課題を解決するための手段】
【０００６】
前記目的を達成するために、本発明は、建屋に形成される昇降路内を昇降する乗かごにあって、この乗かごに設けられるかごドアの開扉時に、エレベータ異常により前記乗かごが移動することを防止するエレベータ乗かごの移動防止装置において、前記乗かごに設けられ、前記かごドアの開扉に応じて前記乗かごの水平投影面積から外に突出するストッパと、前記昇降路に設けられ、前記ストッパと係合可能なストッパ受け部とを備え、前記かごドアが開扉状態で前記乗かごが上昇または下降すると、前記ストッパが前記ストッパ受け部に係合し、前記乗かごのさらなる上昇または下降を防止することを特徴としている。
【０００７】
このように構成した本発明は、かごドアの開扉に応じてストッパを駆動し、このストッパを乗かごの水平投影面積から外に突出させる。この状態で乗かごが何らかの理由により移動すると、ストッパがストッパ受け部に係合し、乗かごがさらに移動することを強制的に阻止する。このように、ストッパを乗かごの水平投影面積から外に突出させるという簡易な構造で乗かごが開扉状態で移動することを確実に防ぐことができる。また、乗かごの移動を強制的に阻止した後、エレベータを再び稼動させる場合、乗かごの水平投影面積から外に突出したストッパを収納すればよく、異常復旧を容易に行うことができる。
【発明の効果】
【０００８】
本発明によれば、ストッパを乗かごの水平投影面積から外に突出させるという簡易な構造で乗かごが開扉状態で移動することを確実に防ぐことができ、安価な装置で、安全性の向上を図ることができる。また、乗かごの移動を強制的に阻止した後、エレベータを再び稼動させる場合、乗かごの水平投影面積から外に突出したストッパを収納すればよく、異常復旧を容易に行うことができ、したがって、エレベータの不稼動間を短縮してサービスの向上を図ることができる。
【発明を実施するための最良の形態】
【０００９】
以下、本発明に係るエレベータ乗かごの移動防止装置の実施の形態を図に基づいて説明する。
【００１０】
図１は本発明に係るエレベータ乗かごの移動防止装置の一実施形態を示す概略側面図、図２は移動防止装置のストッパがストッパ受け部に係合した状態を示す平面図、図３は移動防止装置のストッパがストッパ受け部に係合した状態を示す側面図である。
【００１１】
一般にエレベータは図１に示すように、建屋に形成される昇降路１内を昇降する乗かご２を有しており、乗かご２がエレベータホール３に到着したとき、かごドア４の開閉を行い、乗客が乗り降りできるように制御される。
【００１２】
そして、本実施形態のエレベータ乗かごの移動防止装置は、乗かご２の上部に配設され、かごドア４の開扉に応じて乗かご２の水平投影面積から外に突出するストッパ５と、このストッパ５を駆動するソレノイド６と、ソレノイド６の吸引が解除されたときにストッパ５を乗かご２の水平投影面積から外に向かって移動させるばね７と、昇降路１に設けられ、ストッパ５と係合可能なストッパ受け部８と、ストッパ５がストッパ受け部８に係合したことを検出する検出手段９とを備えている。
【００１３】
本実施形態にあっては、乗かご２がエレベータホール３に到着し、図示しないドア駆動装置を介してかごドア４が開扉すると、このかごドア４の開扉に連動してソレノイド１１の吸引力が解除され、バネ１０の押付け力によってストッパ５は図１の実線で示すように乗かごの水平投影面積から外に突出する。一方、乗かご２を次の目的階に向けて運転するためにドア駆動装置を介してかごドア４を閉扉すると、かごドア４の閉扉に連動してソレノイド６は吸引状態となり、図１の点線で示すように乗かご２の水平投影面積から外に突出したストッパ５をばね７の押付け力に打ち勝って収納し、乗かご２の移動を可能とする。
【００１４】
また、ストッパ５が乗かご２の水平投影面積から外に突出状態にあるときに、すなわち、かごドア４が開扉状態にあるときに乗かご２が何らかの理由により、例えば上昇すると、図２および図３に示すようにストッパ５がストッパ受け部８に係合し、乗かご２がさらに上昇することを強制的に阻止する。また、検出手段９によりストッパ５がストッパ受け部８に係合したことを検出して出力信号を出力し、例えば、報知手段を介して利用客に異常発生を報知するとともに、外部発報手段を介して外部に異常が発生した旨を発報し、利用客にエレベータを利用しないように促し、かつ、エレベータの異常を復旧するように迅速な手配を行う。そして、エレベータの異常が点検修理された後、エレベータを再び稼動させる場合、ソレノイド６を吸引状態としストッパ５を収納する。
【００１５】
本実施形態によれば、ストッパ５を乗かご２の水平投影面積から外に突出させるという簡易な構造で乗かご２が開扉状態で移動することを確実に防ぐことができ、安価な装置で、安全性の向上を図ることができる。また、乗かご２の移動を強制的に阻止した後、エレベータを再び稼動させる場合、乗かご２の水平投影面積から外に突出したストッパ５を収納すればよく、異常復旧を容易に行うことができ、したがって、エレベータの不稼動間を短縮してサービスの向上を図ることができる。
【図面の簡単な説明】
【００１６】
【図１】本発明に係るエレベータ乗かごの移動防止装置の一実施形態を示す概略側面図である。
【図２】移動防止装置のストッパがストッパ受け部に係合した状態を示す平面図である。
【図３】移動防止装置のストッパがストッパ受け部に係合した状態を示す側面図である。
【符号の説明】
【００１７】
１  昇降路
２  乗かご
３  エレベータホール
４  かごドア
５  ストッパ
６  ソレノイド
７  ばね
８  ストッパ受け部
９  検出手段
【図１】
2009029541.tif 000003
【図２】
2009029541.tif 000004
【図３】
2009029541.tif 000005